(57)【要約】 【課題】    特に高齢者等による常用薬の管理や携帯の利便性を高め、記憶力減退や認知症等により単独で薬の服用管理が困難な高齢者等が、薬の服用忘れや二重服用等のトラブルを未然に防止する薬入れ付眼鏡ケースを提供する。【解決手段】    眼鏡ケースと、服用すべきタイミングごとに所定の常用薬を仕分けして収容する薬入れとを一体化して、さらに、予め設定した服用時刻をアラーム音により自動的に報知するアラーム機構を付加する。また、薬入れに前記アラーム音を停止するスイッチ機構を設け、アラーム音の服用時刻に対応した適切な薬入れを開けた場合にだけアラーム音が停止するようにする。【選択図】  図２
0003156185.tif 000002
【実用新案登録請求の範囲】
【請求項１】
眼鏡を収容するケース本体部と、該ケース本体部に開閉可能に設けられたケース蓋部とを有する眼鏡ケースにおいて、上記ケース本体部を二層構造とし、上層部に眼鏡を収容する眼鏡収容部を設け、下層部に薬を収容する抽斗状の薬収容部を一つ又は複数設けたことを特徴とする薬入れ付眼鏡ケース。
【請求項２】
前記ケース本体部の下層部には、前記薬収容部に収容した薬の服用時刻を予め設定可能とし、設定された服用時刻においてアラーム音を発するアラーム機構を有することを特徴とする請求項１に記載の薬入れ付眼鏡ケース。
【請求項３】
前記抽斗状の薬収容部は、該薬収容部の引き出し操作により前記アラーム機構が発するアラーム音を停止させるスイッチ機構を有することを特徴とする請求項２に記載の薬入れ付眼鏡ケース。
【考案の詳細な説明】
【技術分野】
【０００１】
本考案は、眼鏡ケースに関し、殊に眼鏡ケース内部に、眼鏡を収容するスペースとは別に、常用薬等の薬をも収容し得る薬入れスペースを設けた薬入れ付眼鏡ケースに関する。
【背景技術】
【０００２】
従来、眼鏡ケースは、眼鏡を収容するケース本体部と、該ケース本体部にヒンジ部材を介して開閉可能に設けられたケース蓋部とからなり、眼鏡をケース本体部に収納して後、ケース蓋部を蓋した状態で携行するように構成されている。これにより、外部からの衝撃から眼鏡を保護し、また眼鏡レンズなどの汚れを防止している。高齢者の場合、加齢による老眼を矯正するため老眼鏡の着用者の比率が高いが、常時着用する場合が多い近視用眼鏡とは異なり、老眼鏡は、書類等の小さな文字を読む場合にのみ使用するなど、必要に応じて着脱する機会が多いため、非着用時に老眼鏡を収納するための眼鏡ケースは、高齢者にとって必需品といえるものである。特に外出時においては、老眼鏡を眼鏡ケースに収納してバッグ等に入れて携行することが一般的であり、その点から、眼鏡ケースは、高齢者の多くが外出時にほぼ必ず携行する物品の一つであるといえる。かかる眼鏡ケースに関しては、様々な形状や構造、材質のものが提案され、又は既に市販されており、様々な先行技術が存在する。
【０００３】
一方、高齢者の場合、持病の治療や健康管理のために薬の服用者の比率も高いが、特に医療機関にて処方された常用薬の場合、薬自体が多種にわたるだけでなく、毎日所定の時間に所定量を規則正しく服用することが求められるなど、厳格な服用管理が必要な場合がある。こうした常用薬の服用管理は、高齢者本人にとって少なからざる負担となる場合もある。服用時刻や服用量が様々な多種多様な手持ちの常用薬を外出時にすべて携行することは嵩張って不便なため、従来は薬袋やいわゆるピルケース（薬入れ）に当座必要な薬のみを小分けして収納して携行することが一般的であるが、外出時に薬入れ自体を携行し忘れたり、紛失したりすることも少なくないし、携行していても、そもそも所定の服用時刻を失念して飲み忘れたりすることも多い。
【０００４】
また、記憶力の減退した高齢者や認知症が進んだ高齢者の場合、外出中はもとより、家庭内においても薬の飲み忘れや二重服用の可能性は高まる。特に、血圧管理や心臓病治療の薬など、飲み忘れや二重服用が重篤な症状に直結し得る薬の場合、家族などが服用管理のために高齢者から「目を離せない」状態となり、やはり負担を強いられる場合が少なくないのが現状である。
【０００５】
こうした問題に対して、やはり多種多様な薬入れが提案されており、たとえば実開平６−２６８７９号の如く、小分けした多種多様な薬を整理して収納できる小室を多数備えた携帯薬入れや、特開２００６−３３０６５２号、特開２００３−０７９４１９号あるいは特開２００２−１２３１７３号の如く、カレンダーに薬入れを装着して、夫々の日毎に服用すべき薬を予め小分けして整理しておくもの、実開平２−６０４７号の如く、薬を入れた箱にアラーム付時計を組み込んで服用時刻を報知するものなどである。
【特許文献１】実開平６−２６８７９号公開実用新案公報
【特許文献２】特開２００６−３３０６５２号公開特許公報
【特許文献３】特開２００３−０７９４１９号公開特許公報
【特許文献４】特開２００２−１２３１７３号公開特許公報
【考案の開示】
【考案が解決しようとする課題】
【０００６】
しかし、特許文献１に記載の考案は、従来から存在するいわゆるピルケースの薬収容部を複室化して、乾燥剤による乾燥機能と、錠剤等の薬が薬収容部内壁に接触して発する異音を防止するための樹脂性突起を付加したものであり、前述の「薬入れ自体を携行し忘れたり、紛失したりする」という問題を解決するものではない。また、特許文献２及び３に記載の発明は、予めカレンダーの各日に設けた容器に手持ちの薬を小分けしてセットする手間を要するだけでなく、携帯性がないか、携帯可能であっても薬をセットした状態では本体が嵩張り、カプセル等の薬が潰れたりする可能性があるなどの問題を有しており、やはり「薬入れ自体を携行し忘れたり、紛失したりする」という問題の解決には至らず、記憶力が減退したり認知症を有する高齢者の服用管理には不十分である。
【０００７】
本考案は、上記問題点に鑑みて創案されたものであり、眼鏡ケースの本体部に薬収納部を一体的に設け、眼鏡と常用薬をコンパクトにセットにして携帯できる薬入れ付眼鏡ケースを提供することを目的とする。
【０００８】
前述の通り、特に多くの高齢者にとって老眼鏡は家庭内・外出時を問わず手放せないものであり、当然、不使用時には老眼鏡を収納してその破損を防止するための眼鏡ケースも必需品といえるものである。通常、老眼鏡は身の回り品としては高額で、壊れやすいデリケートなものであり、何より視力を補助するという性質上、使用者は一般的に十分な注意を払って慎重に取り扱う。もちろん、携帯電話以上に外出時には携帯することが習慣となっているのが普通であるから、身の回り品の中でも携行し忘れたり紛失されたりしにくいものであるといえる。また、やはり前述の通り、近視用眼鏡に比べて老眼鏡は着脱の機会が多いため、高齢者が老眼鏡を収めた眼鏡ケースを取り出して開閉する頻度も高くなり、一日のうち何度も注意を向ける対象となる。
【０００９】
であるならば、常に身の回りの手の届く範囲に置き、外出時にも必ず携行する眼鏡ケースに薬入れを設けることは極めて合理的である。高齢者にとっていずれも重要な老眼鏡と常用薬を一体的に収納すれば、注意を払うべき対象を一本化できることで管理しやすく、携行し忘れや置き忘れ、紛失のおそれも減らせるだけでなく、老眼鏡の出し入れの都度、薬入れにも注意が向くため、薬の飲み忘れ防止も期待できる。
【課題を解決するための手段】
【００１０】
上記目的を達成するために、本考案においては、次のような構成を有する。すなわち、請求項１に記載の考案に係る薬入れ付眼鏡ケースは、眼鏡を収容するケース本体部と、該ケース本体部に開閉可能に設けられたケース蓋部とを有する眼鏡ケースにおいて、上記ケース本体部を二層構造とし、上層部に眼鏡を収容する眼鏡収容部を設け、下層部に薬を収容する抽斗状の薬収容部を一つ又は複数設けたことを特徴とする。
【００１１】
この請求項１に記載の考案によれば、ケース本体部の上層部は既知の眼鏡ケースでありながら、下層部に設けた抽斗状の薬収容部に常用薬を収容して眼鏡とともに携帯することができ便利となる。該薬収容部を一つだけ設け、一日分の服用すべき薬をまとめて収容してもよいが、薬収容部をたとえば三つ設けて「朝用」「昼用」「晩用」とし、それぞれに一日三食毎食後に服用すべき薬を仕分けして収容すれば、毎回服用すべき薬を所定量のみ簡単かつ的確に取り出すことができ、薬の取り違えや服用量の間違いを防止できるため、便利となるだけでなく、安全性も向上できる。
【００１２】
特に、記憶力の著しい減退や認知症等により単独では薬の選択や服用量を適切に管理できないおそれが大きい高齢者の場合、たとえば家族が前夜に翌日分の薬を適切に朝・昼・晩と仕分けしてそれぞれの薬収容部に入れておくことで、翌日、該高齢者が単独で外出したり、あるいは家族の外出により単独で家庭内に残されたとしても、該高齢者は朝・昼・晩それぞれの薬収容部内の薬を単純に服用さえすれば良い。そのため、高齢者本人に服用管理上の注意を負担させる必要がないだけでなく、家族も服用の都度、薬の選択や用量に注意する必要がなくなり安心である。
【００１３】
次に、請求項２に記載の考案は、請求項１に記載の薬入れ付眼鏡ケースに係り、前記ケース本体部の下層部に、前記薬収容部に収容した薬の服用時刻を予め設定可能とし、設定した服用時刻においてアラーム音を発するアラーム機構を有することを特徴とする。
【００１４】
この請求項２に記載の考案によれば、使用者が予め薬の所定の服用時刻をアラーム機構に設定しておくことにより、当該時刻には自動的にアラーム音が発せられ、服用時刻が到来したことを注意喚起するため、薬の服用忘れを防ぐことができる。なお、前記のように、たとえば朝・昼・晩のそれぞれ異なる時刻にアラーム音を発することができるように、アラーム機構は一日当たり複数の時刻を設定可能とすることが望ましい。また、前述のように単独では服用管理が困難な高齢者等の場合は、本人がアラーム機構を設定できないことも考えられるが、その場合は家族が翌日の服用時刻を設定しておけば、たとえ服用時刻に家族の目が届かなくても安心である。なお、前記アラーム音は、使用者が前記アラーム機構の停止スイッチを押すまで継続するようにすることで、たとえば該薬入れ付眼鏡ケースがバッグ等の中にあった場合も服用時刻が経過したことを報知し続けるため、使用者本人のみならず周囲の人間にも注意を喚起することができる。
【００１５】
また、請求項３に記載の考案は、請求項２に記載の薬入れ付眼鏡ケースに係り、前記抽斗状の薬収容部が、前記アラーム機構が発するアラーム音を停止させるスイッチ機構を有することを特徴とする。
【００１６】
この請求項３に記載の考案によれば、アラーム音に気付いた使用者が前記抽斗状の薬収容部を引き出すことにより前記スイッチ機構が作動してアラーム音を停止するため、アラーム音を停止させるためにいちいち前記アラーム機構の停止スイッチを押す必要がなくなる。該スイッチ機構は、たとえば朝・昼・晩と一日三回の服用薬に対応して前記抽斗状の薬収容部を３つ設けた場合は、朝の服用時刻のアラーム音に対しては対応する朝用の薬収容部のスイッチ機構がそれを停止させ、昼・晩についても同様とし、アラーム音に対応しない薬収容部を引き出しても該アラーム音は停止しない機構としてもよい。これにより、所定の服用時刻ごとの服用すべき薬を取り間違える危険を防ぐことができる。
【考案の効果】
【００１７】
以上のように、請求項１に記載の薬入れ付眼鏡ケースによれば、ケース本体部の上層部は既知の眼鏡ケースとして利用できると同時に、下層部に設けた抽斗状の薬収容部に常用薬を収容して眼鏡とともに携帯することができるため、眼鏡ケースとは別に薬袋やピルケースといった薬入れを別途携帯する必要がなくなり便利となる効果を奏する。特に、高齢者の場合、家庭内・外出時を問わず常に身の回りの手の届く範囲に眼鏡ケースを置き又は携帯するのが常態であるから、本薬入れ付眼鏡ケースを用いれば、結果的に重要な常用薬をやはり常に身の回りの手の届く範囲に置き又は携帯することができるため、薬を携帯し忘れたり、外出先で置き忘れたり、紛失するといったトラブルを未然に防げる。特に、記憶力の著しい減退や認知症等により、単独では常用薬の服用管理が困難な高齢者の場合、たとえば家族が前夜に翌日分の薬を服用すべき時刻毎に仕分けして予め収容しておくことで、翌日、高齢者が単独で外出したり、家族の外出により単独で家庭に残された場合でも、高齢者が一人でも間違いなく適切に薬を服用しやすくなる。そのため、高齢者本人に服用管理上の注意を負担させる必要がないだけでなく、家族も安心して高齢者を単独で外出させ、あるいは高齢者を残して家を留守にできるという、高齢者本人あるいは高齢者を抱える家族の生活実態に即した有益な効果を期待できる。
【００１８】
また、請求項２に記載の考案によれば、使用者（特に高齢者）本人あるいはその家族が予め薬の所定の服用時刻をアラーム機構に設定しておくことにより、当該時刻には自動的にアラーム音が発せられ、服用時刻が到来したことを注意喚起するため、薬の服用忘れを防ぐことができるという効果を奏する。これにより、前述の「眼鏡と薬を合わせて常に身の周りの手の届く範囲に置き又は携帯することができる」という本考案の奏する効果に加え、所定の服用時刻の失念をも防ぐことにより、より適切な常用薬の服用管理が可能となり、特に認知症等により単独では複雑な常用薬の服用管理が困難な高齢者等にとって重要な効果を奏する。
【００１９】
さらに、請求項３に記載の考案によれば、所定の服用時刻が到来して本薬入れ付眼鏡ケースがアラーム音を発した場合、アラーム音に気付いた使用者が薬収容部を引き出すことによりアラーム音が停止するため、アラーム音を停止させるためにいちいちアラーム機構の停止スイッチを押す必要がなくなるだけでなく、当該服用時刻に服用すべき適切な薬の入った薬収容部を引き出して開けない限りアラーム音が停止しないようにすれば、使用者が服用すべき薬を取り間違える危険を効果的に防ぐことが可能となる。これは、前記の請求項２に記載の考案に、さらにフェイル・セーフ的な効果を付加して常用薬の服用管理をより徹底できるという効果を奏するものである。
【考案を実施するための最良の形態】
【００２０】
以下では、本考案の実施の形態に係る薬入れ付眼鏡ケースを、図１乃至図４に基づいて詳述する。薬入れ付眼鏡ケースは、図１及び図に示す如く、略直方体状のケース本体部３が上層部と下層部の二層構造により構成されている。上層部は全体がヒンジ部６により開閉可能な蓋部７により全面を覆われた眼鏡収容部４（空間）となっており、一方、下層部は薬２を収容する抽斗状の薬収容部５を組み込んだ固定構造を成している。（便宜上、ケース本体部３の、ヒンジ部６を有する側を「背面」、その反対側の蓋部７が開口する側を「正面」とする。）薬収容部５は一つ以上を設置するが、本実施例では「朝」「昼」「晩」の３つに「他（その他）」を加えた合計４つとしている（５Ａ乃至５Ｄ）。４つの薬収容部５は、いずれもケース本体部３の正面側に向けて引き出せる抽斗構造としており、個々の薬収容部５を引き出すことにより内部が開口して収容した薬２を取り出すことができる。ちなみに、本実施例において薬収容部５の個数を合計４つとしたのは、「朝」「昼」「晩」用の３つの薬収容部にそれぞれ朝食時（後）、昼食時（後）、夕食時（後）に服用すべき薬を収容し、「他（その他）」には特定の服用時間を定めない食間服用する薬や症状が発現した際に随時服用すべき薬、あるいは目薬などを収容することを想定したものである。なお、薬収容部５の正面側側面は、すべての薬収容部５が収納された場合に、ケース本体部３と合一の表面を成すよう滑らかに成形する。なお、ケース本体部３の全体形状及び蓋部７の開閉方法及び薬収容部５の抽斗構造についての上記具体例は一例であって、これに何ら限定されるものではなく、本考案の適用が可能なあらゆる薬入れ付眼鏡ケースの形状及び開閉方法に適用できるものとする。
【００２１】
さらに、前記薬収容部５の内部底面・側面には、既知の異音防止用樹脂性突起（図示せず）を形成あるいは貼り付けることができ、これにより本薬入れ付眼鏡ケースを携帯した場合に、収容した薬、特に錠剤やカプセル剤が薬収容部の内部底面・側面に接触して異音を発することを防げる。また、前記薬収容部５のそれぞれの内部あるいはケース本体部３の内部の適宜なスペースに、やはり既知の乾燥剤（図示せず）を配置することができ、これにより収容した薬が湿気により変質することを防げるだけでなく、後述のアラーム機構８等の電子部品が湿気により故障したり結露したりすることも防げる。
【００２２】
また、ケース本体部３の下層部には、図４に示す如く、前記４つの薬収容部５のほかにアラーム機構８のユニットも設置する。該アラーム機構８は、内蔵電池９によって駆動するアラーム機能付デジタル時計であり、内蔵電池９の種類は特に限定されないが、単三あるいは単四型乾電池でもよく、省スペースなボタン型水銀電池がより望ましい。該アラーム機構８は、本体ユニットと一体的あるいは別個のユニットとして液晶時計画面１０及び操作スイッチ１１を有する。該液晶時計画面１０は、デジタル表示により現在時刻を表示するほか、後述のタイマー設定操作時には設定時刻やガイダンス文字等を表示して使用者の確認に供する。操作スイッチ１１は、図３に示す如く、「ＳＥＬＥＣＴ（選択）」「ＳＥＴ／ＳＴＯＰ（設定／停止）」「ＨＯＵＲ（時間）」「ＭＩＮ（ＭＩＮＵＩＴ：分）」の操作ボタンを有し、「ＳＥＬＥＣＴ（選択）」ボタンにより現在時刻設定やアラーム設定時刻選択などの設定操作種類を選択し、「ＨＯＵＲ（時間）」ボタン及び「ＭＩＮ（ＭＩＮＵＩＴ：分）」ボタンによって現在時刻やアラーム設定時刻を選択し、「ＳＥＴ／ＳＴＯＰ（設定／停止）」ボタンにより選択した時刻の設定を完了する。また、「ＳＥＴ／ＳＴＯＰ（設定／停止）」ボタンはアラーム音を停止する際の停止ボタンにも兼用される。なお、前記アラーム機構８や液晶時計画面１０、操作スイッチ１１の形状やケース本体部３における設置位置については特に限定されず、ケース本体部３の全体的なデザインに応じて適宜の配置が可能である。また、前記操作スイッチ１１の操作ボタンの構成や名称、及び各種設定操作における操作手順や時刻設定のロジックについても上記実施例のそれらに限定されるものではなく、本考案の適用が可能なあらゆる構成を取り得るものとする。
【００２３】
また、本実施例では、前記薬収容部５の再奥部外側面（背面側外側面）とケース本体部３下層部の背面側内側面にそれぞれ電気接点部１３（薬収容部側を１３Ａ、ケース内側面側を１３Ｂとする）からなるスイッチ機構１２を有し、該スイッチ機構１２と前記アラーム機構８とは回路１４により接続されている。該スイッチ機構１２は、薬収容部５毎に別個独立して設置され、各薬収容部５の各スイッチ機構１２は、それぞれの薬収容部５毎にアラーム機構８において設定された服用時刻のアラーム音に対応した停止スイッチとして機能する。具体的には、回路１４には前記内蔵電池９から給電される微弱な電流を通電しており、該スイッチ機構１２により、前記電気接点部１３Ａと１３Ｂの接触／非接触の状態を回路１４を介して前記アラーム機構８に伝達する。そのため、所定の薬収容部５に収容した薬の服用時刻の到来によりアラーム音を発した前記アラーム機構８は、当該薬収容部５が引き出されて電気接点部１３が非接触状態となった場合にのみそれを検知してアラーム音を停止する。従って、たとえば「朝」用の薬収容部５に収容した薬について設定した服用時刻が到来してアラーム機構８がアラーム音を発した場合、使用者が間違って「昼」用の薬収容部５を引き出してもアラーム音は鳴り止まず、正しく「朝」用の薬収容部５を引き出した場合にのみアラーム音が停止する。つまり、結果的に、所定の時刻に所定の薬を取り出さない限りアラーム音を停止できないため、薬の飲み間違いを防ぐことが可能となる。なお、
前記スイッチ機構１２の構成やアラーム音を停止させるための物理的・電気的な機構についても上記実施例に示すそれらに限定されるものではなく、本考案の適用が可能なあらゆる構成を取り得るものとする。
【００２４】
以上、本考案を上記実施の形態により詳述してきたが、具体的な構成はこの実施の形態に限られるものではなく、本考案の要旨を逸脱しない範囲の設計変更等があっても本考案に含まれる。また、上記の記述において、本薬入れ付眼鏡ケースの素材・材質等については限定していないが、内部に収容した眼鏡や薬を外部からの衝撃や圧力あるいは日常的な汚染物質による破損・汚損から防護できる強度や耐久性、密閉性を確保できるものであれば良く、商品化に当たっては、たとえば硬質プラスティック素材のみを用いた簡易かつ廉価なものとしても良いし、皮革等の素材で外面を被覆した高級品としても良い。
【産業上の利用可能性】
【００２５】
眼鏡ケースと、服用すべきタイミングごとに所定の常用薬を仕分けして収容する薬入れとを一体化して、さらに、予め設定した服用時刻をアラーム音により自動的に
報知するアラーム機構を付加することにより、特に、記憶力減退が著しい高齢者や認知症の患者など、複雑な常用薬の適切な服用管理が困難な者が、薬の携帯し忘れや置き忘れ、服用し忘れ、二重服用などのトラブルに陥ることなく、単独で常用薬の服用管理ができる薬入れ付眼鏡ケースを提供することで、高齢化社会の進展に対応した個人レベルでの医薬品使用の利便性・安全性の向上に資する可能性を有する。
【図面の簡単な説明】
【００２６】
【図１】本考案の実施の形態に係る薬入れ付眼鏡ケースの上面図である。
【図２】本考案の実施の形態に係る薬入れ付眼鏡ケースの正面図である。
【図３】本考案の実施の形態に係る薬入れ付眼鏡ケースの左側面図である。
【図４】本考案の実施の形態に係る薬入れ付眼鏡ケースの底面図である。
【符号の説明】
【００２７】
１      眼鏡
２      薬
３      ケース本体部
４      眼鏡収容部（空間）
５      薬収容部
６      ヒンジ部
７      蓋部
８      アラーム機構
９      内蔵電池
１０    液晶時計画面
１１    操作スイッチ
１２    スイッチ機構
１３Ａ  電気接点部（薬収容部側）
１３Ｂ  電気接点部（ケース内側面側）
１４    回路
【図１】
0003156185.tif 000003
【図２】
0003156185.tif 000004
【図３】
0003156185.tif 000005
【図４】
0003156185.tif 000006